(57)【要約】【課題】楽な姿勢で患部を冷やし又は暖める。【解決手段】冷温椅子は、着座者の臀部を支持する座板１１と、座板１１の後端に下端が設けられ着座者の腰部を後方より支持する背もたれ板２１とを備える。背もたれ板２１は着座者の腰部が当接する前面の温度を調整可能に構成される。背もたれ板２１が中空に形成され、背もたれ板２１の中空内部に冷却され又は加熱された水を注入して貯留させることにより背もたれ板２１の前面の温度を冷却又は加熱調整する。座板１１の後部に幅方向に延びて上方に開口する有底の長穴１２ａが形成され、背もたれ板２１は長穴１２ａに離脱可能に挿着される挿着部２２と挿着部２２の上部に挿着部２２と一体的に形成され座板１１が臀部を支持する着座者の腰部を後方より支持する支持部２３とを有する。背もたれ板２１の給水口２４が長穴１２ａに装着される下部に形成される。【選択図】  図１
2009118972.tif 000002
【特許請求の範囲】
【請求項１】
着座者の臀部を支持する座板(11)と、前記座板(11)の後端に下端が設けられ前記着座者の腰部を後方より支持する背もたれ板(21)とを備えた椅子であって、
前記背もたれ板(21)は前記着座者の腰部が当接する前面の温度を調整可能に構成された
ことを特徴とする冷温用椅子。
【請求項２】
背もたれ板(21)が中空に形成され、前記背もたれ板(21)の中空内部に冷却され又は加熱された水を注入して貯留させることにより前記背もたれ板(21)の前面の温度を冷却又は加熱調整する請求項１記載の冷温用椅子。
【請求項３】
座板(11)の後部に幅方向に延びて上方に開口する有底の長穴(12a)が形成され、背もたれ板(21)は前記長穴(12a)に離脱可能に挿着される挿着部(22)と前記挿着部(22)の上部に前記挿着部(22)と一体的に形成され前記座板(11)が臀部を支持する着座者の腰部を後方より支持する支持部(23)とを有する請求項２記載の冷温用椅子。
【請求項４】
座板(11)は長穴(12a)が形成された後部(12)と臀部を支持する前部(13)とを有し、前記後部(12)の高さ(H)が８〜１１ｃｍであって、前記前部(13)の上面が前方に向かって低位となるように傾斜して後端上面が前記後部(12)の上面になだらかに連続して形成され、前記前部(13)上面の水平面に対する傾斜角度(θ)が５〜１０度である請求項３記載の冷温用椅子。
【請求項５】
背もたれ板(21)の前面から座板(11)の前面までの水平距離(L)が２０７ｍｍ〜２５０ｍｍであって、前記座板(11)の前端上面に上方に膨出する指圧用凸条(13b)が幅方向に延びて形成された請求項１ないし４いずれか１項に記載の冷温用椅子。
【請求項６】
座板(11)の前面の幅方向の中央に凹部(13c)が形成された請求項５記載の冷温用椅子。
【請求項７】
背もたれ板(21)の給水口(24)が長穴(12a)に装着される下部に形成され、前記長穴(12a)の底部に前記給水口(24)が進入可能な貫通孔(12b)が形成された請求項３又は４記載の冷温用椅子。
【請求項８】
背もたれ板(21)の前面に前方の膨出して着座者の腰部に当接する指圧用突起(23a)が形成された請求項１ないし７いずれか１項に記載の冷温用椅子。
【請求項９】
指圧用突起(23a)が背もたれ板(21)の前面の中央に幅方向に所定の間隔(D)を開けて形成された上下方向に長い一対の凸条であって、前記所定の間隔(D)が４０〜１１０ｍｍである請求項８記載の冷温用椅子。
【発明の詳細な説明】
【技術分野】
【０００１】
本発明は、着座者の腰部を冷やし又は暖めて治療する冷温用椅子に関するものである。
【背景技術】
【０００２】
従来、患部を冷やし又は暖めて治療する治療方法としてアイシング及び温熱療法が知られている。アイシングは、患部を冷やして炎症作用を抑えて痛みを和らげることによりその患部を治療する療法であり、その治療薬として患部に直接貼り付けるタイプのものであって、消炎鎮痛作用を有するいわゆる湿布薬が広く知られている。一方、温熱療法は、患部を暖めることにより血行やリンパ管における流れを促進させ、それによりその循環を活性化させて治療するものであり、その治療薬として患部に直接貼り付ける温湿布なるものが知られている。しかし、このような消炎鎮痛作用を有する湿布薬やその患部を暖める温湿布にあっては、それらを患部に直接貼り付けることから、貼り付けられる患部の皮膚が弱いものに用いることが困難になる不具合があった。
【０００３】
このような不具合を解消するために、アイシングにあっては、氷等を袋に入れた状態で患部に押し当てることも考えられる。また、従来から足元を暖めるものとして湯たんぽが知られており、この湯たんぽの暖かさを利用して肩や腰を温めることによって、肩こりや腰痛を和らげようとする試みもなされている。そして、そのためのものとして湯たんぽカバーが提案されており、近年では、肩や腰、足首等の身体的要部を湯たんぽにより局部的に温める際に、湯たんぽを身体の要所箇所に安定良く装着するとともに、低温やけどを起こすようなおそれもないものが提案されている（例えば、特許文献１参照。）。
【特許文献１】特開２００５−１６０７０７号公報（明細書［０００６］〜［００１１］、図１〜図５）
【発明の開示】
【発明が解決しようとする課題】
【０００４】
しかし、アイシングにあっては、氷等を袋に入れた状態でその手に持ってその袋等を患部に押し当てることが必要であるけれども、氷等の入った袋を持って比較的長い時間患部に押し当て続けることは疲労等の観点から困難である不具合があった。また、上記の従来の湯たんぽカバーでは、湯たんぽを収納した状態でその湯たんぽを肩や腰、足首等の身体的要部に取り付けるものであり、湯たんぽが取り付けられる患者の負担が増加する未だ解決すべき課題が残存する。この点を解消するために、置かれた氷等を入れた氷袋や湯たんぽの上に患者が仰向けに寝ることによりその患者の肩や腰部、又は足首を乗せ、その氷袋や湯たんぽを患部に取付けることなくその患部を冷やし又は暖めることも考えられる。しかし、覚醒した状態では仰向けに寝た姿勢を比較的長い時間保ち続けるのは困難であり、その患部を十分に冷やし又は暖められない不具合があった。一方、例えば、湯たんぽに肩や腰部、又は足首を乗せた状態で就寝しまうと、湯たんぽが必要以上に長い時間患部に押し当てられることから、その患部に低温やけどが生じるおそれもある。
本発明の目的は、楽な姿勢で患部を冷やし又は暖めることができる冷温用椅子を提供することにある。
【課題を解決するための手段】
【０００５】
請求項１に係る発明は、図１に示すように、着座者の臀部を支持する座板１１と、座板１１の後端に下端が設けられ着座者の腰部を後方より支持する背もたれ板２１とを備えた椅子の改良である。
その特徴ある構成は、背もたれ板２１は着座者の腰部が当接する前面の温度を調整可能に構成されたところにある。
【０００６】
この請求項１に記載された冷温用椅子では、座板１１に臀部を乗せるように着座すると、背もたれ板２１に着座者の腰部が当接する。このような姿勢では上半身の自由度が増し、この状態で読書やＴＶを見ることもでき、比較的その姿勢を維持するのが容易である。このため、その背もたれ板２１の前面の温度を調整して冷却するようにすれば、比較的楽な姿勢でその患部である腰部を冷やすことができ、その背もたれ板２１の前面の温度を調整して暖めるようにすれば、比較的楽な姿勢でその患部である腰部を暖めることができる。
一方、座板１１に臀部を乗せて背もたれ板２１に腰部を当接させた状態での就寝は困難である。このため、冷却され又は暖められた背もたれ板２１が就寝に基づいて必要以上に長い時間患部に押し当てられるようなことを防止することができ、その患部に低温やけどが生じるような事態を回避することができる。
【０００７】
請求項２に係る発明は、請求項１に係る発明であって、背もたれ板２１が中空に形成され、背もたれ板２１の中空内部に冷却され又は加熱された水を注入して貯留させることにより背もたれ板２１の前面の温度を冷却又は加熱調整することを特徴とする。
この請求項２に記載された冷温用椅子では、注入する水の温度により背もたれ板２１の前面の温度の調整が可能となり、その構造も比較的単純にすることができる。このため、背もたれ板２１前面の温度の冷却又は加熱調整を比較的容易に行うとともに、比較的安価な冷温用椅子を得ることができる。
【０００８】
請求項３に係る発明は、請求項２に係る発明であって、座板１１の後部に幅方向に延びて上方に開口する有底の長穴１２ａが形成され、背もたれ板２１は長穴１２ａに離脱可能に挿着される挿着部２２と挿着部２２の上部に挿着部２２と一体的に形成され座板１１が臀部を支持する着座者の腰部を後方より支持する支持部２３とを有することを特徴とする。
この請求項３に記載された冷温用椅子では、背もたれ板２１を座板１１から取り外すことができる。このため、使用しない場合の保管に際して減容させることができ、その保管等を容易にすることができる。また、背もたれ板２１は、注入された水を一時的に貯留してその表面の温度を調整可能に構成されているので、図４に示すように、座板１１から離脱させた状態で一種の湯たんぽとして機能させることができる。
【０００９】
請求項４に係る発明は、請求項３に係る発明であって、座板１１は長穴１２ａが形成された後部１２と臀部を支持する前部１３とを有し、後部１２の高さＨが８〜１１ｃｍであって、前部１３の上面が前方に向かって低位となるように傾斜して後端上面が後部１２の上面になだらかに連続して形成され、前部１３上面の水平面に対する傾斜角度θが５〜１０度であることを特徴とする。
この請求項４に記載された冷温用椅子では、背もたれ板２１が取り外された座板１１を仰臥位における腰部の筋肉を弛緩させる整体具として使用することができる。即ち、図３に示すように、後部１２を腰部の下方に位置させ、前部１３をその背面の下方に位置させることにより腰部全体を持ち上げることができる。すると、腰椎前弯を更につくるようになり、その腰部周辺の筋肉を伸張させて弛緩することができる。これにより、血流やリンパの還流を促進させることができる。
【００１０】
請求項５に係る発明は、請求項１ないし４いずれか１項に係る発明であって、背もたれ板２１の前面から座板１１の前面までの水平距離Ｌが２０７ｍｍ〜２５０ｍｍであって、座板１１の前端上面に上方に膨出する指圧用凸条１３ｂが幅方向に延びて形成されたことを特徴とする。
この請求項５に記載された冷温用椅子では、臀部を座板１１に乗せるとその臀部と大腿部の間あたりに指圧用凸条１３ｂが下方から接触することになる。この部分には東洋医学において言われるところのいわゆる足太陽膀胱経の殷門などのツボがあり、このツボを刺激することにより泌尿器系の機能促進によいとされている。よって、この請求項５に記載された冷温用椅子では、この部分に指圧用凸条１３ｂを接触させる事により、排泄などの新陳代謝促進効果を生じさせることができる。
【００１１】
請求項６に係る発明は、請求項５に係る発明であって、座板１１の前面の幅方向の中央に凹部１３ｃが形成されたことを特徴とする。
この請求項６に記載された冷温用椅子では、図５に示すように、臀部を座板１１に乗せた状態で両膝を左右に開き、両足の裏側を重ね合わせた状態でそれら双方の踵を凹部１３ｃに合わせることにより、あぐらのような姿勢を取ることができる。この結果、股関節可動域が大きくなり、リンパ還流促進の効果を生じさせる事ができる。
【００１２】
請求項７に係る発明は、請求項３又は４に係る発明であって、背もたれ板２１の給水口が長穴１２ａに装着される下部に形成され、長穴１２ａの底部にその給水口２４が進入可能な貫通孔１２ｂが形成されたことを特徴とする。
この請求項７に記載された冷温用椅子では、背もたれ板２１を座板１１に取付けた状態で給水口を長穴１２ａの内部に隠すことができ、外観上の見栄えを向上させることができる。また、長穴１２ａ内部に水等の異物が溜まった場合に貫通孔１２ｂを介しての排出を可能にして、その清掃を容易にすることができる。
【００１３】
請求項８に係る発明は、請求項１ないし７いずれか１項に係る発明であって、背もたれ板２１の前面に前方の膨出して着座者の腰部に当接する指圧用突起２３ａが形成されたことを特徴とする。
この請求項８に記載された冷温用椅子では、臀部を座板１１に乗せて腰部を背もたれ板２１の前面に押しつけると指圧用突起２３ａがその腰部に接触することになる。この部分には東洋医学で言われるところのいわゆる足太陽膀胱経の肝兪・胆兪・脾兪・胃兪などのツボがあり、消化器系や泌尿器系の機能促進によいとされている。従って、この請求項８に記載された冷温用椅子では、この部分に指圧用突起２３ａを押し付けることにより、消化器系や泌尿器系の機能を促進させることができる。
【００１４】
請求項９に係る発明は、請求項８に係る発明であって、指圧用突起２３ａが背もたれ板２１の前面の中央に幅方向に所定の間隔Ｄを開けて形成された上下方向に長い一対の凸条であって、所定の間隔Ｄが４０〜１１０ｍｍであることを特徴とする。
この請求項９に記載された冷温用椅子では、指圧用突起２３ａを構成する一対の凸条が中空の背もたれ板２１の前面における曲げ強度を補強する補強リブとしての機能を有する。そして、所定の間隔Ｄが４０〜１１０ｍｍであることによりその一対の凸条からなる指圧用突起２３ａはいわゆる足太陽膀胱経の肝兪・胆兪・脾兪・胃兪などのツボに接触して刺激する。これにより、消化器系や泌尿器系の機能を更に促進させることができる。
【発明の効果】
【００１５】
本発明の冷温用椅子では、着座者の腰部が当接する背もたれ板の前面の温度を調整可能にしたので、座板に臀部を乗せるように着座すると背もたれ板に着座者の腰部が当接し、このような姿勢では上半身の自由度が増し、この状態で読書やＴＶを見ることもでき、比較的その姿勢を維持するのが容易である。このため、その背もたれ板の前面の温度を調整して冷却するようにすれば、比較的楽な姿勢でその患部である腰部を冷やすことができ、その背もたれ板の前面の温度を調整して暖めるようにすれば、比較的楽な姿勢でその患部である腰部を暖めることができる。一方、座板に臀部を乗せて背もたれ板に腰部を当接させた状態での就寝は困難である。このため、冷却され又は暖められた背もたれ板が就寝に基づいて必要以上に長い時間患部に押し当てられるようなことを防止することができ、その患部に低温やけどが生じるような事態を回避することができる。
【００１６】
また、座板の後部に幅方向に延びて上方に開口する有底の長穴を形成し、背もたれ板の下部を長穴に離脱可能に挿着すれば、背もたれ板を座板から取り外すことができる。このため、使用しない場合の保管に際して減容させることができ、その保管等を容易にすることができる。また、背もたれ板が、注入された水を一時的に貯留してその表面の温度を調整可能に構成すれば、座板から離脱させた背もたれ板を一種の湯たんぽとして用いることができる。一方、背もたれ板が取り外された座板が後部と臀部を支持する前部とを有し、所定の形状を有するようなものであれば、背もたれ板が取り外されたその座板を仰臥位における腰部の筋肉を弛緩させる整体具として使用することができる。
【発明を実施するための最良の形態】
【００１７】
次に本発明を実施するための最良の形態を図面に基づいて説明する。
図１及び図２に示すように、本発明の冷温用椅子１０は、着座者の臀部を支持する座板１１と、その座板１１の後端に下端が設けられて着座者の腰部を後方より支持する背もたれ板２１とを備える。座板１１は木材、金属又は樹脂成型品から成り、この実施の形態では、樹脂成型品からなる座板１１を代表して説明するものとする。
【００１８】
座板１１は着座者がその臀部を乗せるところであり、そのために十分な幅Ａ（図１）を有する。この幅Ａは臀部を乗せることができる限り、その寸法は規定されないが、２０ｃｍ以上であって、かつ５０ｃｍ以下であることが好ましい。この幅Ａが２０ｃｍ未満であると着座者の臀部を乗せることが困難になり、５０ｃｍを超えるといたずらに大きく成りすぎて保管等に支障を来すからである。なお、この幅Ａの好ましい範囲は２８〜３２ｃｍである。
【００１９】
この座板１１は、長穴１２ａが形成された後部１２と着座者の臀部を支持する前部１３を有する。長穴１２ａが形成された後部１２の高さＨ（図２）は８〜１１ｃｍであって、臀部を支持する前部１３はその上面が前方に向かって低位となるように傾斜し、その後端が後部１２の上面に滑らかに連続するように形成される。そして、その前部１３上面の傾斜角度θは水平面に対して５〜１０度の範囲で形成され、その上面には臀部が収まる滑らかな一対の臀部用凹面１３ａが形成される。なお、後部１２の高さＨの好ましい範囲は９〜１０ｃｍであり、傾斜角度θの好ましい範囲は６〜８度である。
【００２０】
座板１１の後部１２における長穴１２ａは、その後部１２に幅方向に延びて上方に開口するように形成される。この長穴１２ａは背もたれ板２１の下部が離脱可能に挿着される部分であり、背もたれ板２１の挿入深さを規定するために有底に形成される。この長穴１２ａは、後部１２の高さの範囲内で背もたれ板２１の取付け強度を確保する必要から、その深さＦ（図２）は５〜７ｃｍであることが好ましく、６〜７ｃｍであることが更に好ましい。
【００２１】
背もたれ板２１は長穴１２ａに嵌挿される挿着部２２と着座者の腰部を後方より支持する支持部２３とを有し、挿着部２２は長穴１２ａに挿入するとその長穴１２ａの内周面にその外周面が密着してその背もたれ板２１を座板１１に取付けるように構成される。この長穴１２ａと挿着部２２により背もたれ板２１は座板１１に着脱可能に構成される。支持部２３の高さＥ（図２）は２０〜３０ｃｍであって、腰部を支持する前面は上方に向かって後方に移動するように傾斜し、その前面の傾斜角度αは鉛直面に対して５〜１０度の範囲で形成される。なお、支持部２３の高さＥの好ましい範囲は２８〜３０ｃｍであり、傾斜角度αの好ましい範囲は６．５〜８．５度である。そして、支持部２３は下端が挿着部２２の上端に滑らかに連続し、上方に向かうに従って、その断面積を減少させるように構成される。
【００２２】
そして、図２に詳しく示すように、座板１１における長穴１２ａの幅方向中央の前端から座板１１の前面までの距離Ｌ、即ち、背もたれ板２１の前面から座板１１の前面までの水平距離Ｌは２０７ｍｍ〜２５０ｍｍの範囲になるように作られる。そして、座板１１の前端上面には上方に膨出する指圧用凸条１３ｂが幅方向に延びて形成される。この凸条１３ｂの高さｈは１．５〜３．０ｍｍであって、その幅ｗは８〜９ｍｍであることが好ましい。そして、座板１１の前面には、その幅方向の中央に凹部１３ｃが形成される。この凹部１３ｃは、上方から観察すると円弧状を成し、その凹部１３ｃの深さｂ（図２）は１０〜１５ｍｍであって、その幅ｃ（図１）は３〜５ｃｍであることが好ましい。
【００２３】
一方、背もたれ板２１は中空に形成され、その背もたれ板２１の中空内部に冷却され又は加熱された水を注入して貯留させることにより着座者の腰部が接触する背もたれ板２１の前面の温度を冷却又は加熱調整するように構成される。注入された水を一時的に貯留する点で、図４に示すように、座板１１から離脱させた状態でこの背もたれ板２１は一種の湯たんぽとしても機能するものであり、金属又は樹脂成型品によりこの背もたれ板２１は作られる。図１及び図２に示す背もたれ板２１は樹脂成型品からなり、この湯たんぽの機能も有する背もたれ板２１の給水口２４は外周に雄ねじが形成された筒状体により構成される。この筒状体からなる給水口２４は、内周に雌ねじが形成されたキャップ２６により開放可能に閉止される。図示しないが、キャップ２６の内部には筒状の給水口２４の端縁に当接してその給水口２４から背もたれ板２１の内部に注入された水が漏れ出すようなことを防止するパッキンが挿入される。
【００２４】
長穴１２ａの底部には、この背もたれ板２１の下部が長穴１２ａに装着された状態で、給水口２４を閉止したキャップ２６が進入可能な貫通孔１２ｂがその底部を貫通するように形成される。この貫通孔１２ｂは長穴１２ａの底部を貫通することにより、その長穴１２ａ内部に水等の異物が溜まった場合に貫通孔１２ｂを介してその排出を容易にするとともに、背もたれ板２１の下部が長穴１２ａに装着された状態でキャップ２６の進入を許容してこのキャップ２６が外部から視認されることを防止して外観上の見栄えを向上させるようになっている。
【００２５】
また、背もたれ板２１を構成する支持部２３の前面には、前方の膨出して着座者の腰部に当接する指圧用突起２３ａが形成される。図１に示す指圧用突起２３ａは、背もたれ板２１の前面の中央に幅方向に所定の間隔Ｄを開けて形成された上下方向に長い一対の凸条であって、この指圧用突起２３ａは背もたれ板２１を樹脂成型する際に支持部２３に一体的に形成される。この指圧用突起２３ａを構成する凸条の高さｍ（図２）は１．５〜３．０ｍｍであって、その幅ｎ（図１）は１．５〜２．５ｃｍであることが好ましい。また、この指圧用突起２３ａを構成する一対の凸条の所定の間隔Ｄ（図１）は４０〜１１０ｍｍであり、４５〜１００ｍｍであることが好ましく、６０〜９０ｍｍであることが更に好ましい。そして、図１に示す支持部２３の前面にはこの指圧用突起２３ａを構成する一対の凸条の幅方向より外側に更に同様の補強用凸条２３ｂが上下方向に延びて形成され、これらの指圧用突起２３ａを構成する凸条及び補強用凸条２３ｂの双方により、樹脂成型品からなりかつ着座者の腰部を後方より支持する背もたれ板２１の強度を向上させるように構成される。
【００２６】
このように構成された冷温用椅子では、着座者の臀部を支持する座板１１と、座板１１の後端に下端が設けられ着座者の腰部を後方より支持する背もたれ板２１とを備えたので、座板１１に臀部を乗せるように着座すると、背もたれ板２１に着座者の腰部が当接する。このような姿勢では上半身の自由度が増し、比較的その姿勢を維持するのが容易である。そして、その背もたれ板２１の前面の温度を調整可能としたので、背もたれ板２１を冷却すれば、比較的楽な姿勢でその患部である腰部を冷やすことができ、その背もたれ板２１を暖めるようにすれば、比較的楽な姿勢でその患部である腰部を暖めることができる。そして、この状態での就寝は困難であるので、冷却され又は暖められた背もたれ板２１が就寝に基づいて必要以上に長い時間患部に押し当てられるようなことを防止することができ、その患部に低温やけどが生じるような事態を回避することができる。
【００２７】
また、背もたれ板２１を中空にしてその中空内部に冷却され又は加熱された水を注入して貯留させるようにしたので、注入する水の温度により背もたれ板２１の前面の温度の調整が可能となり、背もたれ板２１前面における温度調整が比較的容易になる。また、構造も比較的単純にすることができ、比較的安価な冷温用椅子を得ることができる。
【００２８】
ここで、背もたれ板２１の前面から座板１１の前面までの水平距離Ｌが２０７ｍｍ〜２５０ｍｍであって、座板１１の前端上面に上方に膨出する指圧用凸条１３ｂを幅方向に延びて形成したので、臀部を座板１１に乗せるとその臀部と大腿部の間あたりに指圧用凸条１３ｂを下方から接触させて、この指圧用凸条１３ｂは座板に乗せられた臀部がその傾斜に沿ってずり落ちることを防止することができる。また、臀部と大腿部の間あたりには東洋医学において言われるところのいわゆる足太陽膀胱経の殷門などのツボがあるので、このツボを指圧用凸条１３ｂにより刺激することができる。即ち、臀部と大腿部の間あたりに存在するツボに指圧用凸条１３ｂを接触させる事ができ、これにより排泄などの新陳代謝を促進させることができる。
【００２９】
そして、座板１１の前面の幅方向の中央に凹部１３ｃを形成したので、図５に示すように、臀部を座板１１に乗せた状態で両膝を左右に開き、両足の裏側を重ね合わせた状態でそれら双方の踵を凹部１３ｃに合わせることにより、あぐらのような姿勢を取ることができる。この結果、股関節可動域が大きくなり、リンパ還流促進の効果を生じさせる事ができる。
一方、図１に示すように、背もたれ板２１の前面に前方の膨出して着座者の腰部に当接する指圧用突起２３ａを形成したので、臀部を座板１１に乗せて腰部を背もたれ板２１の前面に押しつけると指圧用突起２３ａはその腰部に接触する。この部分には東洋医学で言われるところのいわゆる足太陽膀胱経の肝兪・胆兪・脾兪・胃兪などのツボがあり、消化器系や泌尿器系の機能促進によいとされている。従って、この冷温用椅子では、この部分に指圧用突起２３ａを押し付けることにより、消化器系や泌尿器系の機能を促進させることができる。そして、所定の間隔Ｄが４０〜１１０ｍｍであることによりその一対の凸条からなる指圧用突起２３ａがいわゆる足太陽膀胱経の肝兪・胆兪・脾兪・胃兪などのツボに接触して刺激する。これにより、消化器系や泌尿器系の機能を更に促進させることができる。また、指圧用突起２３ａが上下方向に長い一対の凸条であるので、この凸条から成る指圧用突起２３ａに対して、中空の背もたれ板２１の前面における曲げ強度を補強する補強リブとしての機能を持たせることもできる。
【００３０】
また、座板１１の後部に有底の長穴１２ａを形成して背もたれ板２１を着脱自在としたので、背もたれ板２１を座板１１から取り外せば、使用しない場合の保管に際して減容させることができ、その保管等を容易にすることができる。また、背もたれ板２１は、注入された水を一時的に貯留してその表面の温度を調整可能に構成されているので、図４に示すように、座板１１から離脱させた状態で一種の湯たんぽとして機能させることができる。一方、背もたれ板２１が取り外された座板１１は、図３に示すように、仰臥位における腰部の筋肉を弛緩させる整体具として使用することもできる。
【００３１】
なお、上述した実施の形態では、樹脂成型品からなる座板１１と背もたれ板２１を説明したが、座板１１や背もたれ板２１は金属からなるものであっても良い。
【図面の簡単な説明】
【００３２】
【図１】本発明実施形態の冷温椅子の分解斜視図である。
【図２】その冷温椅子の縦断面図である。
【図３】その座板を整体具として用いる状態を示す斜視図である。
【図４】その背もたれ板を湯たんぽとして用いる状態を示す斜視図である。
【図５】その座板前面の凹部に裏面を重ね合わされた両足の踵を一致させる状態を示す斜視図である。
【符号の説明】
【００３３】
１１  座板
１２  後部
１２ａ  長穴
１２ｂ  貫通孔
１３  前部
１３ｂ  指圧用凸条
１３ｃ  凹部
２１  背もたれ板
２２  挿着部
２３  支持部
２３ａ  指圧用突起
２４  給水口
Ｈ  後部の高さ
θ  前部上面の傾斜角度
Ｌ  背もたれ板の前面から座板の前面までの水平距離
Ｄ  所定の間隔
【図１】
2009118972.tif 000003
【図２】
2009118972.tif 000004
【図３】
2009118972.tif 000005
【図４】
2009118972.tif 000006
【図５】
2009118972.tif 000007